(57)【要約】【課題】メモリタグとコネクタとの接触の安定化。【解決手段】プロセスカートリッジが装置本体に装着される際に、装置本体のコネクタの接点をタグの接点部へガイドするために、カートリッジ当接部を設けて、コネクタの接点がタグの接点部以外の部分と当接することを防ぐ。また、プロセスカートリッジが装置本体に装着された際に、コネクタの接点の当接圧を安定させるために、カートリッジの下面からカートリッジを付勢するバックアップ部材を設ける。【選択図】　　　図３０
2004045857.tif 000002
【特許請求の範囲】
【請求項１】
本体電気接点と、本体押圧手段と、を有する電子写真画像形成装置本体に着脱可能なプロセスカートリッジにおいて、
電子写真感光体ドラムと、
前記電子写真感光体ドラムに作用するプロセス手段と、
枠体と、
情報を記憶する記憶素子と、
前記記憶素子と電気的に接続するカートリッジ電気接点部であって、前記プロセスカートリッジを前記装置本体に装着した際に、前記本体電気接点と電気的に接続するカートリッジ電気接点部と、
前記枠体に設けられた基体であって、前記記憶素子と、前記カートリッジ電気接点部と、を有する基体と、
前記枠体に設けられた被押圧部であって、前記プロセスカートリッジを前記装置本体に装着した際に、前記本体押圧手段によって、前記本体電気接点と前記カートリッジ電気接点部とが電気的に接続する方向に押圧される被押圧部と、
を有することを特徴とするプロセスカートリッジ。
【請求項２】
前記プロセスカートリッジを前記装置本体に装着した際に、前記基体は前記枠体の上面側に設けられ、前記被押圧部は前記枠体の下面側に設けられていることを特徴とする請求項１に記載のプロセスカートリッジ。
【請求項３】
更に、前記プロセスカートリッジは、
前記電子写真感光体ドラムの軸線方向一端側と他端側における前記枠体から突出して、前記軸線と同軸線上に設けられた位置決め部材であって、前記プロセスカートリッジを前記装置本体に装着する際に、前記プロセスカートリッジをガイドするための、及び、前記プロセスカートリッジを前記装置本体に装着した際に、前記プロセスカートリッジを位置決めする位置決め部材と、
前記装置本体に設けられた本体回転規制部材と当接する、前記枠体に設けられた回転規制当接部であって、前記プロセスカートリッジを前記装置本体に装着して、前記被押圧部が前記本体押圧手段によって押圧された際に、前記位置決め部材を中心に前記プロセスカートリッジが回転するのを規制する回転規制当接部と、
を有することを特徴とする講求項１または請求項２に記載のプロセスカートリッジ。
【請求項４】
前記被押圧部は、前記基体が設けられた前記軸線方向の位置に対応する、前記枠体の下面側に設けられていることを特徴とする請求項１乃至請求項３のいずれかに記載のプロセスカートリッジ。
【請求項５】
前記プロセスカートリッジを前記装置本体に装着した際に、前記電子写真感光体ドラムの軸線まわりの前記被押圧部でのモーメントの大きさは、前記軸線まわりの前記基体でのモーメントの大きさ以上であることを特徴とする請求項１乃至請求項４のいずれかに記載のプロセスカートリッジ。
【請求項６】
本体電気接点と、本体当接部材と、を有する電子写真画像形成装置本体に着脱可能なプロセスカートリッジにおいて、
電子写真感光体ドラムと、
前記電子写真感光体ドラムに作用するプロセス手段と、
枠体と、
情報を記憶する記憶素子と、
前記記憶素子と電気的に接続するカートリッジ電気接点部であって、前記プロセスカートリッジを前記装置本体に装着した際に、前記本体電気接点と電気的に接続するカートリッジ電気接点部と、
前記枠体に設けられた基体であって、前記記憶素子と、前記カートリッジ電気接点部と、を有する基体と、
前記枠体から突出して、前記基体と同じ側に設けられたカートリッジ当接部であって、前記プロセスカートリッジを前記装置本体に装着する際に、前記本体当接部材と当接して、前記本体電気接点を前記カートリッジ電気接点部ヘガイドするカートリッジ当接部と、
前記プロセスカートリッジを前記装置本体に装着する装着方向において、前記カートリッジ当接部の上流側に設けられた傾斜面であって、前記プロセスカートリッジを前記装置本体に装着する際に、前記本体当接部材によってガイドされた前記本体電気接点を前記カートリッジ電気接点部へ電気的に接続させるための傾斜面と、
を有することを特徴とするプロセスカートリッジ。
【請求項７】
前記カートリッジ当接部は、前記装着方向と交差する方向において前記基体と並んで設けられて、前記傾斜面の前記装着方向における上流側の端部は、前記装着方向における前記カートリッジ電気接点部の長さの間に対応する位置にあることを特徴とする請求項６に記載のプロセスカートリッジ。
【請求項８】
前記プロセスカートリッジを前記装置本体に装着した際に、前記基体は前記枠体の上面側から突出した設置部に設けられる、そして、カートリッジ当接部の高さは、前記カートリッジ当接部と前記本体当接部材とが当接している際は、前記本体接点部と前記枠体、及び、前記基体との間に隙間が生じる高さであることを特徴とする請求項６または請求項７に記載のプロセスカートリッジ。
【請求項９】
前記プロセスカートリッジを前記装置本体に装着した際に、前記基体は前記枠体の上面側から突出した設置部に設けられる、そして、前記設置部の高さは、前記プロセスカートリッジを前記装置本体に装着して、前記本体電気接点と前記カートリッジ接点部とが電気的に接続した際に、前記本体当接部材と前記枠体の表面との間に隙間が生じる高さであることを特徴とする請求項６乃至請求項８のいずれかに記載のプロセスカートリッジ。
【請求項１０】
前記装着方向と交差する方向における前記本体電気接点の位置決めをするために、前記本体電気接点を有する本体電気接点支持部材に設けられた本体支持部材位置決め部と係合するカートリッジ支持部材位置決め部と、
前記交差方向における前記プロセスカートリッジのガイドをするために、前記装置本体に設けられた本体カートリッジ装着案内部と係合するカートリッジ装着案内部と、
前記装着方向に沿って設けられた溝部であって、前記カートリッジ支持部材位置決め部と、前記カートリッジ装着案内部とが並設された溝部を有することを特徴とする請求項６乃至請求項９のいずれかに記載のプロセスカートリッジ。
【請求項１１】
前記溝部の底部に設けられた、前記装置本体に設けられた本体回転規制部材と当接する回転規制当接部であって、前記プロセスカートリッジが前記装着位置に装着されて、前記電子写真感光体ドラムが前記装置本体から回転駆動を受けた際に、前記電子写真感光体ドラムの回転方向と同じ方向へ前記プロセスカートリッジが回転するのを規制する回転規制当接部を有することを特徴とする請求項６乃至請求項１０のいずれかに記載のプロセスカートリッジ。
【請求項１２】
プロセスカートリッジを着脱可能であって、記録媒体に画像を形成する電子写真画像形成装置において、
（ｉ）本体電気接点と、
（ｉｉ）本体押圧手段と、
（ｉｉｉ）電子写真感光体ドラムと、前記電子写真感光体ドラムに作用するプロセス手段と、枠体と、情報を記憶する記憶素子と、前記記憶素子と電気的に接続するカートリッジ電気接点部であって、前記プロセスカートリッジを前記電子写真画像形成装置の本体に装着した際に、前記本体電気接点と電気的に接続するカートリッジ電気接点部と、前記枠体に設けられた基体であって、前記記憶素子と、前記カートリッジ電気接点部と、を有する基体と、前記枠体に設けられた被押圧部であって、前記プロセスカートリッジを前記本体に装着した際に、前記本体押圧手段によって、前記本体電気接点と前記カートリッジ電気接点部とが電気的に接続する方向に押圧される被押圧部と、を有するプロセスカートリッジを取り外し可能に装着する装着手段と、
（ｉｖ）前記記録媒体を搬送するための搬送手段と、
を有することを特徴とする電子写真画像形成装置。
【請求項１３】
プロセスカートリッジを着脱可能であって、記録媒体に画像を形成する電子写真画像形成装置において、
（ｉ）本体電気接点と、
（ｉｉ）前記本体電気接点を支持する本体電気接点支持部材と、
（ｉｉｉ）前記本体電気接点支持部材に設けられた本体当接部と、
（ｉｖ）電子写真感光体ドラムと、前記電子写真感光体ドラムに作用するプロセス手段と、枠体と、情報を記憶する記憶素子と、前記記憶素子と電気的に接続するカートリッジ電気接点部であって、前記プロセスカートリッジを前記電子写真画像形成装置の本体に装着した際に、前記本体電気接点と電気的に接続するカートリッジ電気接点部と、前記枠体に設けられた基体であって、前記記憶素子と、前記カートリッジ電気接点部と、を有する基体と、前記枠体から突出して、前記基体と同じ側に設けられたカートリッジ当接部であって、前記プロセスカートリッジが前記本体に装着する際に、前記本体当接部材と当接して、前記本体電気接点を前記カートリッジ電気接点部ヘガイドするカートリッジ当接部と、前記プロセスカートリッジを前記本体に装着する装着方向において、前記カートリッジ当接部の上流側に設けられた傾斜面であって、前記プロセスカートリッジを前記本体に装着する際に、前記本体当接部材によってガイドされた前記本体電気接点を前記カートリッジ電気接点部へ接触させるための傾斜面と、を有するプロセスカートリッジを取り外し可能に装着する装着手段と、
（ｖ）前記記録媒体を搬送するための搬送手段と、
を有することを特徴とする電子写真画像形成装置。
【請求項１４】
前記本体電気接点支持部材に設けられた前記本体支持部材位置決め部であって、前記装着方向に沿って前記プロセスカートリッジに設けられた溝部のカートリッジ支持部材位置決め部と係合して、前記本体電気接点の前記交差する方向の位置決めを行なうための前記本体支持部材位置決め部と、
前記本体に設けられた本体カートリッジ装着案内部であって、前記溝部のカートリッジ装着案内部と係合して、前記プロセスカートリッジの前記交差する方向のガイドをするための本体カートリッジ装着案内部と、
を有することを特徴とする請求項１３に記載の電子写真画像形成装置。
【請求項１５】
前記本体に設けられた、前記溝部の底部と当接する本体回転規制部材であって、前記プロセスカートリッジが前記装着位置に装着されて、前記電子写真感光体ドラムが前記本体から回転駆動を受ける際に、前記電子写真感光体の回転方向と同じ方向へ前記プロセスカートリッジが回転するのを規制する本体回転規制部材を有することを特徴とする請求項１３または請求項１４に記載の電子写真画像形成装置。
【発明の詳細な説明】
【０００１】
【発明の属する技術分野】
本発明は、電子写真画像形成装置本体に着脱可能なプロセスカートリッジ、及び、電子写真画像形成装置に関するものである。ここで、電子写真画像形成装置とは電子写真画像形成プロセスを用いて記録媒体に画像を形成するものである。そして、電子写真画像形成装置の例としては、例えば電子写真複写機、電子写真プリンタ（例えば、レーザービームプリンタ、ＬＥＤプリンタ等）、ファクシミリ装置及びワードプロセッサ等が含まれる。
【０００２】
また、プロセスカートリッジとは、プロセス手段としての帯電手段、現像手段、またはクリーニング手段と電子写真感光体とを一体的にカートリッジ化し、このカートリッジを電子写真画像形成装置本体に対して着脱可能とするものである。さらに、プロセス手段としての帯電手段、現像手段、クリーニング手段の少なくとも１つと電子写真感光体とを一体的にカートリッジ化して電子写真画像形成装置本体に着脱可能とするもの、及び、少なくともプロセス手段としての現像手段と電子写真感光体とを一体的にカートリッジ化して電子写真画像形成装置本体に着脱可能とするものをいう。
【０００３】
【従来の技術】
従来、電子写真画像形成プロセスを用いた電子写真画像形成装置においては、電子写真感光体及び前記電子写真感光体に作用するプロセス手段を一体的にカートリッジ化して、このカートリッジを画像形成装置本体に着脱可能とするプロセスカートリッジ方式が採用されている。このプロセスカートリッジ方式によれば、装置のメンテナンスをサービスマンによらずにユーザー自身で行なうことができるので、格段に操作性を向上させることができた。そこでこのプロセスカートリッジ方式は電子写真画像形成装置において広く用いられている。
【０００４】
また、近年種々のサービス情報やプロセス情報を記憶するメモリ（記憶素子）をカートリッジに搭載した製品が実現されている。電子写真画像形成装置はこのカートリッジのメモリ情報を活用することにより、画質やカートリッジのメンテナンスをより一層向上させている。そして、電子写真画像形成装置本体に設けられたコネクタとの間で電気的接続を行なうことにより、カートリッジのメモリと電気通信を行なっているものがある。
【０００５】
【発明が解決しようとする課題】
しかしながら、従来の接触式のコネクタを用いる場合には、確実な電気的接続を実現するために、電子写真画像形成装置本体側の通信機構やカートリッジ側のメモリの接点部が複雑になるおそれがあった。
【０００６】
本発明は従来の技術の有する未解決の課題に鑑みてなされたものである。
【０００７】
本発明の目的はプロセスカートリッジのカートリッジ電気接点部と、電子写真画像形成装置の本体電気接点とが、簡単な構成で電気的接続可能なプロセスカートリッジ、及び、電子写真画像形成装置を提供することである。
【０００８】
本発明の他の目的は、プロセスカートリッジを電子写真画像形成装置本体に装着する際に、前記装置本体に設けられた本体電気接点と、カートリッジ電気接点部とが安定して確実に接触することができるプロセスカートリッジ、及び、電子写真画像形成装置を提供することにある。
【０００９】
また、本発明の他の目的は、プロセスカートリッジを電子写真画像形成装置本体に装着する際に、前記装置本体に設けられた本体電気接点が、プロセスカートリッジの枠体、及び、前記カートリッジ電気接点以外の基体と当接することなく、前記カートリッジ電気接点と接触することのできるプロセスカートリッジ、及び、電子写真画像形成装置を提供することである。
【００１０】
また、本発明の他の目的は、小型化、省スペースを実現したプロセスカートリッジ、及び、電子写真画像形成装置を提供することにある。
【００１１】
また、本発明の他の目的は、プロセスカートリッジを電子写真画像形成装置本体の装置位置に装着された際は、前記装置本体に設けられた本体電気接点とカートリッジ電気接点部とが安定して確実に接触することができるプロセスカートリッジ、及び、電子写真画像形成装置を提供することである。
【００１２】
また、本発明の他の目的は、プロセスカートリッジが電子写真画像形成装置本体に装着された際に、前記装置本体に設けられた本体電気接点とカートリッジ電気接点部との接触する位置の精度が良いプロセスカートリッジ、及び、電子写真画像形成装置を提供することにある。
【００１３】
また、本発明の他の目的は、プロセスカートリッジを電子写真画像形成装置本体に装着する際に、前記装置本体に設けられた本体電気接点と、基体のカートリッジ電気接点部とが、衝撃なくスムーズに接触することのできるプロセスカートリッジ、及び、電子写真画像形成装置を提供することにある。
【００１４】
また、本発明の他の目的は、
本体電気接点と、本体押圧手段と、を有する電子写真画像形成装置本体に着脱可能なプロセスカートリッジにおいて、
電子写真感光体ドラムと、
前記電子写真感光体ドラムに作用するプロセス手段と、
枠体と、
情報を記憶する記憶素子と、
前記記憶素子と電気的に接続するカートリッジ電気接点部であって、前記プロセスカートリッジを前記装置本体に装着した際に、前記本体電気接点と電気的に接続するカートリッジ電気接点部と、
前記枠体に設けられた基体であって、前記記憶素子と、前記カートリッジ電気接点部と、を有する基体と、
前記枠体に設けられた被押圧部であって、前記プロセスカートリッジを前記装置本体に装着した際に、前記本体押圧手段によって、前記本体電気接点と前記カートリッジ電気接点部とが電気的に接続する方向に押圧される被押圧部と、
を有するプロセスカートリッジを提供することにある。
【００１５】
また、本発明の他の目的は、
本体電気接点と、本体当接部材と、を有する電子写真画像形成装置本体に着脱可能なプロセスカートリッジにおいて、
電子写真感光体ドラムと、
前記電子写真感光体ドラムに作用するプロセス手段と、
枠体と、
情報を記憶する記憶素子と、
前記記憶素子と電気的に接続するカートリッジ電気接点部であって、前記プロセスカートリッジを前記装置本体に装着した際に、前記本体電気接点と電気的に接続するカートリッジ電気接点部と、
前記枠体に設けられた基体であって、前記記憶素子と、前記カートリッジ電気接点部と、を有する基体と、
前記枠体から突出して、前記基体と同じ側に設けられたカートリッジ当接部であって、前記プロセスカートリッジを前記装置本体に装着する際に、前記本体当接部材と当接して、前記本体電気接点を前記カートリッジ電気接点部へガイドするカートリッジ当接部と、
前記プロセスカートリッジを前記装置本体に装着する装着方向において、前記カートリッジ当接部の上流側に設けられた傾斜面であって、前記プロセスカートリッジを前記装置本体に装着する際に、前記本体当接部材によってガイドされた前記本体電気接点を前記カートリッジ電気接点部へ電気的に接続させるための傾斜面と、
を有するプロセスカートリッジを提供することにある。
【００１６】
また、本発明の他の目的は、
プロセスカートリッジを着脱可能であって、記録媒体に画像を形成する電子写真画像形成装置において、
（ｉ）本体電気接点と、
（ｉｉ）本体押圧手段と、
（ｉｉｉ）電子写真感光体ドラムと、前記電子写真感光体ドラムに作用するプロセス手段と、枠体と、情報を記憶する記憶素子と、前記記憶素子と電気的に接続するカートリッジ電気接点部であって、前記プロセスカートリッジを前記電子写真画像形成装置の本体に装着した際に、前記本体電気接点と電気的に接続するカートリッジ電気接点部と、前記枠体に設けられた基体であって、前記記憶素子と、前記カートリッジ電気接点部と、を有する基体と、全記枠体に設けられた被押圧部であって、前記プロセスカートリッジを前記本体に装着した際に、前記本体押圧手段によって、前記本体電気接点と前記カートリッジ電気接点部とが電気的に接続する方向に押圧される被押圧部と、を有するプロセスカートリッジを取り外し可能に装着する装着手段と、
（ｉｖ）前記記録媒体を搬送するための搬送手段と、
を有する電子写真画像形成装置を提供することにある。
【００１７】
また、本発明の他の目的は、
プロセスカートリッジを着脱可能であって、記録媒体に画像を形成する電子写真画像形成装置において、
（ｉ）本体電気接点と、
（ｉｉ）前記本体電気接点を支持する本体電気接点支持部材と、
（ｉｉｉ）前記本体電気接点支持部材に設けられた本体当接部と、
（ｉｖ）電子写真感光体ドラムと、前記電子写真感光体ドラムに作用するプロセス手段と、枠体と、情報を記憶する記憶素子と、前記記憶素子と電気的に接続するカートリッジ電気接点部であって、前記プロセスカートリッジを前記電子写真画像形成装置の本体に装着した際に、前記本体電気接点と電気的に接続するカートリッジ電気接点部と、前記枠体に設けられた基体であって、前記記憶素子と、前記カートリッジ電気接点部と、を有する基体と、前記枠体から突出して、前記基体と同じ側に設けられたカートリッジ当接部であって、前記プロセスカートリッジが前記本体に装着する際に、前記本体当接部材と当接して、前記本体電気接点を前記カートリッジ電気接点部ヘガイドするカートリッジ当接部と、前記プロセスカートリッジを前記本体に装着する装着方向において、前記カートリッジ当接部の上流側に設けられた傾斜面であって、前記プロセスカートリッジを前記本体に装着する際に、前記本体当接部材によってガイドされた前記本体電気接点を前記カートリッジ電気接点部へ接触させるための傾斜面と、を有するプロセスカートリッジを取り外し可能に装着する装着手段と、
（ｖ）前記記録媒体を搬送するための搬送手段と、
を有する電子写真画像形成装置を提供することにある。
【００１８】
【課題を解決するための手段】
上記目的を達成するための本発明の代表的な構成は、
本体電気接点と、本体押圧手段と、を有する電子写真画像形成装置本体に着脱可能なプロセスカートリッジにおいて、
電子写真感光体ドラムと、
前記電子写真感光体ドラムに作用するプロセス手段と、
枠体と、
情報を記憶する記憶素子と、
前記記憶素子と電気的に接続するカートリッジ電気接点部であって、前記プロセスカートリッジを前記装置本体に装着した際に、前記本体電気接点と電気的に接続するカートリッジ電気接点部と、
前記枠体に設けられた基体であって、前記記憶素子と、前記カートリッジ電気接点部と、を有する基体と、
前記枠体に設けられた被押圧部であって、前記プロセスカートリッジを前記装置本体に装着した際に、前記本体押圧手段によって、前記本体電気接点と前記カートリッジ電気接点部とが電気的に接続する方向に押圧される被押圧部と、
を有することを特徴とするプロセスカートリッジである。
【００１９】
また、上記目的を達成するための本発明の他の構成は、
本体電気接点と、本体当接部材と、を有する電子写真画像形成装置本体に着脱可能なプロセスカートリッジにおいて、
電子写真感光体ドラムと、
前記電子写真感光体ドラムに作用するプロセス手段と、
枠体と、
情報を記憶する記憶素子と、
前記記憶素子と電気的に接続するカートリッジ電気接点部であって、前記プロセスカートリッジを前記装置本体に装着した際に、前記本体電気接点と電気的に接続するカートリッジ電気接点部と、
前記枠体に設けられた基体であって、前記記憶素子と、前記カートリッジ電気接点部と、を有する基体と、
前記枠体から突出して、前記基体と同じ側に設けられたカートリッジ当接部であって、前記プロセスカートリッジを前記装置本体に装着する際に、前記本体当接部材と当接して、前記本体電気接点を前記カートリッジ電気接点部ヘガイドするカートリッジ当接部と、
前記プロセスカートリッジを前記装置本体に装着する装着方向において、前記カートリッジ当接部の上流側に設けられた傾斜面であって、前記プロセスカートリッジを前記装置本体に装着する際に、前記本体当接部材によってガイドされた前記本体電気接点を前記カートリッジ電気接点部へ電気的に接続させるための傾斜面と、
を有することを特徴とするプロセスカートリッジである。
【００２０】
また、上記目的を達成するための本発明の他の構成は、
プロセスカートリッジを着脱可能であって、記録媒体に画像を形成する電子写真画像形成装置において、
（ｉ）本体電気接点と、
（ｉｉ）本体押圧手段と、
（ｉｉｉ）電子写真感光体ドラムと、前記電子写真感光体ドラムに作用するプロセス手段と、枠体と、情報を記憶する記憶素子と、前記記憶素子と電気的に接続するカートリッジ電気接点部であって、前記プロセスカートリッジを前記電子写真画像形成装置の本体に装着した際に、前記本体電気接点と電気的に接続するカートリッジ電気接点部と、前記枠体に設けられた基体であって、前記記憶素子と、前記カートリッジ電気接点部と、を有する基体と、前記枠体に設けられた被押圧部であって、前記プロセスカートリッジを前記本体に装着した際に、前記本体押圧手段によって、前記本体電気接点と前記カートリッジ電気接点部とが電気的に接続する方向に押圧される被押圧部と、を有するプロセスカートリッジを取り外し可能に装着する装着手段と、
（ｉｖ）前記記録媒体を搬送するための搬送手段と、
を有することを特徴とする電子写真画像形成装置である。
【００２１】
また、上記目的を達成するための本発明の他の構成は、
プロセスカートリッジを着脱可能であって、記録媒体に画像を形成する電子写真画像形成装置において、
（ｉ）本体電気接点と、
（ｉｉ）前記本体電気接点を支持する本体電気接点支持部材と、
（ｉｉｉ）前記本体電気接点支持部材に設けられた本体当接部と、
（ｉｖ）電子写真感光体ドラムと、前記電子写真感光体ドラムに作用するプロセス手段と、枠体と、情報を記憶する記憶素子と、前記記憶素子と電気的に接続するカートリッジ電気接点部であって、前記プロセスカートリッジを前記電子写真画像形成装置の本体に装着した際に、前記本体電気接点と電気的に接続するカートリッジ電気接点部と、前記枠体に設けられた基体であって、前記記憶素子と、前記カートリッジ電気接点部と、を有する基体と、前記枠体から突出して、前記基体と同じ側に設けられたカートリッジ当接部であって、前記プロセスカートリッジが前記本体に装着する際に、前記本体当接部材と当接して、前記本体電気接点を前記カートリッジ電気接点部ヘガイドするカートリッジ当接部と、前記プロセスカートリッジを前記本体に装着する装着方向において、前記カートリッジ当接部の上流側に設けられた傾斜面であって、前記プロセスカートリッジを前記本体に装着する際に、前記本体当接部材によってガイドされた前記本体電気接点を前記カートリッジ電気接点部へ接触させるための傾斜面と、を有するプロセスカートリッジを取り外し可能に装着する装着手段と、
（ｖ）前記記録媒体を搬送するための搬送手段と、
を有することを特徴とする電子写真画像形成装置である。
【００２２】
（作用）
プロセスカートリッジのカートリッジ電気接点と、電子写真画像形成装置本体に設けられた本体電気接点との電気的接続が簡単な構成で可能になる。
【００２３】
また、プロセスカートリッジを電子写真画像形成装置本体に装着した際に、電子写真画像形成装置本体に設けられた本体電気接点と、カートリッジ電気接点部とを安定して確実に接触させることができる。
【００２４】
また、プロセスカートリッジを電子写真画像形成装置本体に装着した際に、前記装置本体に設けられた本体電気接点が、プロセスカートリッジの枠体、及び、前記カートリッジ電気接点以外の基体に当接することなく、前記カートリッジ電気接点と接触することができる。
【００２５】
また、プロセスカートリッジ、及び、電子写真画像形成装置本体の小型化、省スペースを実現することが可能になる。
【００２６】
また、プロセスカートリッジを電子写真画像形成装置本体に装着した際に、電子写真画像形成装置本体に設けられた本体電気接点と、基体のカートリッジ電気接点部とを安定して確実に接触させることができる。
【００２７】
また、プロセスカートリッジを電子写真画像形成装置本体に装着した際に、電子写真画像形成装置本体に設けられた本体電気接点と、プロセスカートリッジに設けられたカートリッジ電気接点部との接触の位置精度を向上させることができる。
【００２８】
さらに、プロセスカートリッジを電子写真画像形成装置本体に装着する際に、前記装置本体に設けられた本体電気接点と、カートリッジ電気接点部とが、衝撃なくスムーズに接触することができる。
【００２９】
【発明の実施の形態】
本発明の実施の形態を図面に基づいて説明する。
【００３０】
（第１の実施の形態）
図１は第１の実施の形態による電子写真画像形成装置を示すものである。この装置は、レーザーダイオード、ポリゴンミラー、レンズ、反射ミラーを備えた光学手段１と、光学手段１から得られる画像情報に応じたレーザー光を照射する。これによってプロセスカートリッジ２の電子写真感光体である感光体ドラム１１に画像情報に応じた潜像が形成される。この潜像は、現像手段によって現像され、可視像、すなわち、トナー像とされる。
【００３１】
（画像形成装置の全体構成）
画像形成のためのプロセス手段の１つである現像手段は、感光体ドラム１１にトナーを送り出す現像剤担持体である現像ローラ２１と、現像ローラ２１の表面に付着する現像剤の量を規制するための規制部材である現像ブレード２２とからなる。また、現像ローラ２１、及び、現像ブレード２２とそれらを保持する現像枠体２３と、現像剤を収容したトナー収納部２４ａを有するトナー収容容器２４を結合して、現像装置である現像ユニット２０を形成している。
【００３２】
現像枠体２３は現像室２３ａを有し、現像室２３ａに隣接するトナー収納部２４ａ内のトナーはトナー送り部材２５の回転によって、現像室２３ａの現像ローラ２１へと送り出される。現像枠体２３は、現像ローラ２１の近傍に回動自在なトナー撹拌部材２６を備えており、トナー収納部２４ａから送り出された現像室２３ａ内のトナーを循環させる。また、トナーは磁性を有しており、現像ローラ２１は固定磁石を内蔵しているため、現像ローラ２１上にはトナーが付着する。
【００３３】
そして現像ローラ２１を回転することによってトナーは搬送され、現像ブレード２２にて摩擦帯電電荷が付与される。そして、所定厚のトナー層が現像ローラ２１上に形成され、感光体ドラム１１の現像領域へと搬送される。この現像領域へと供給されたトナーは、前記感光体ドラム１１上の前記潜像へと転移され、感光体ドラム１１上にトナー像を形成する。なお、現像ローラ２１は、画像形成装置本体に設けられている現像バイアス回路に接続されている。そして、通常交流電圧に直流電圧が重畳された現像バイアス電圧が印加される。
【００３４】
一方、給送システム３は、上記トナー像の形成と同期して給紙カセット３ａにセットした記録媒体Ｐをピックアップローラ３ｂ、搬送ローラ対３ｃ、３ｄ、３ｅで転写位置へと搬送する。転写位置には、転写手段としての転写ローラ４が配置されており、電圧を印加することによって、感光体ドラム１１上のトナー像を記録媒体Ｐに転写する。
【００３５】
トナー像の転写を受けた記録媒体Ｐは、搬送ガイド３ｆで定着手段５へと搬送する。定着手段５は、駆動ローラ５ｃ、及びヒータ５ａを内蔵した定着ローラ５ｂを備え、通過する記録媒体Ｐに熱、及び圧力を印加して転写されたトナー像を記録媒体Ｐ上に定着する。
【００３６】
記録媒体Ｐは、排出ローラ対３ｇ、３ｈで搬送し、反転経路３ｊを経由して排出トレイ６へと排出される。この排出トレイ６は、画像形成装置本体の上面に設けられている。なお、揺動可能なフラッパ３ｋを動作させ、反転経路３ｊを介することなく記録媒体Ｐを排出することもできる。このように、上記ピックアップローラ３ｂ、搬送ローラ対３ｃ、３ｄ、３ｅ、搬送ガイド３ｆ、排出ローラ対３ｇ、３ｈによって搬送手段を構成している。
【００３７】
転写ローラ４によってトナー像を記録媒体Ｐに転写した後の感光体ドラム１１は、クリーニング手段１２によって感光体ドラム１１上に残留したトナーを除去した後、次の画像形成プロセスに供される。クリーニング手段１２は感光体ドラム１１に当接して設けられたクリーニングブレード１２ａによって感光体ドラム１１上の残留トナーを掻き落として廃トナー溜め１２ｂへと集める。
【００３８】
（プロセスカートリッジの構成）
カートリッジ２は、図２に示すように、現像ローラ２１を支持する現像枠体２３にトナー収容容器２４を溶着して、一体として現像ユニット２０（現像装置）を形成している。トナー収容容器２４は、トナーを収容するトナー収納部２４ａと、該トナー収納部２４ａのトナーを現像室２３ａに供給するためのトナー供給開口２４ｂを形成し、そのトナー収納部２４ａ内にトナー送り部材２５を回動可能に支持している。なお、トナー供給開口２４ｂは、カートリッジ２が使用される時までは、現像剤シール（不図示）によって封止されている。そして、カートリッジ２の最初の使用時にユーザーによって現像材シールが引き抜かれることによってトナーが供給可能となる。現像枠体２３は、現像ローラ２１及び現像ブレード２２を支持している。
【００３９】
また、クリーニングブレード１２ａ、感光体ドラム１１及び帯電ローラ７を枠体であるドラム枠体１３で支持してクリーニングユニット１０を形成している。
【００４０】
そして、カートリッジ２は前記現像ユニット２０及びクリーニングユニット１０を結合して一体化することによってカートリッジ化されている。
【００４１】
図３に示すように、感光体ドラム１１の両端には、ギアフランジが取り付けられ、一方のギアフランジはドラム軸受１４に回転可能に支持され、他方のギアフランジは、図４に示すようにドラム軸１５で回転可能に支持される。そして、ドラム軸受１４とドラム軸１５はドラム枠体１３に取り付けられ、クリーニングユニット１０を構成している。
【００４２】
（クリーニングユニットと現像ユニットの結合）
次に、クリーニングユニット１０と現像ユニット２０を結合する構成を説明する。図３及び図４に示すように、クリーニングユニット１０と現像ユニット２０は、両側のサイドカバー３０、４０によって結合される。一方のサイドカバー３０は基準穴３１をドラム軸受１４の円筒部１４ａと嵌合させることによってクリーニングユニット１０と位置決めされ、ビス５１によって固定される。そしてサイドカバー３０の基準ボスと現像ユニット２０の基準穴を猷合させることによって現像ユニット２０が位置決めされ、上記と同様にビス５２によって固定される。
【００４３】
他方のサイドカバー４０は、基準穴４１と感光体ドラム１１のドラム軸１５の円筒部１５ａが嵌合することによってクリーニングユニット１０と位置決めされ、ビス５３で固定される。また、現像ユニット２０も反対側と同様にビス５４によって固定される。
【００４４】
（プロセスカートリッジの装着ガイド手段の構成）
次に、カートリッジ２を本体１００に着脱する際の装着ガイド手段を図１５、及び、図１６に基いて説明する。図１５は、カートリッジ２を本体１００に装着する装着方向（矢印Ｘの方向）に見た場合の現像ユニット２０の右側に位置する本体１００の一部を示す斜視図である。また、図１６は、同じく現像ユニット２０の左側に位置する本体１００の一部を示す斜視図である。
【００４５】
クリーニングユニット１０の両外側面においては、図３、図４に示すドラム軸受１４の円筒部１４ａ外径とドラム軸１５の円筒部１５ａ外径により、カートリッジ２を本体１００に着脱するときのカートリッジ側のガイド部材が構成される。
【００４６】
図３ないし図６に示すように、プロセスカートリッジ本体（ユニット本体）であるクリーニングユニット１０を構成するドラム枠体１３の上面、すなわち、カートリッジ２を本体１００に装着した際の、上方に位置する面には、プロセスカートリッジ装着方向に対して直交する長手方向の端部にそれぞれ回転規制当接部である規制当接部１６ａ、１７ａが設けられている。両規制当接部１６ａ、１７ａは、前記装着方向に延在する装着案内部（溝部）である溝１６、１７の末端の底部に配設されている。そして、カートリッジ２を本体１００に装着した際に、カートリッジ２の回動位置を規定するものである。
【００４７】
すなわち、カートリッジ２を本体１００に装着した際に、図１５及び図１６に示すように、画像形成装置の本体１００に設けられた本体回転規制部材である固設部材１０１、１０２の先端に前記規制当接部１６ａ、１７ａがそれぞれ当接する。
【００４８】
そして、カートリッジ２はドラム軸受１４の円筒部１４ａ、ドラム軸１５の円筒部１５ａを中心とする回動位置が規定される。
【００４９】
次に本体１００に設けられたガイド壁について述べる。図１に示す本体１００の開閉部材１００ａを支点を中心に反時計回りに回動すると、本体１００の上部が開放される。図１５及び図１６は、この状態のカートリッジ２の左右両端における本体１００への装着ガイド手段を示す部分斜視図である。すなわち、開閉部材１００ａを開けた開口部から本体１００の両側の内壁を、前述のように、カートリッジ２の着脱方向（Ｘ方向）から見た右側が図１５、左側が図１６である。
【００５０】
本体１００の右側の内壁には、図１５に示すようにガイド部材（装着手段）１２１が配設され、左側の内壁には図１６に示すガイド部材１２２（装着手段）が形成されている。
【００５１】
ガイド部材１２１、１２２には、それぞれカートリッジ２の挿入方向（装着方向）である矢印Ｘの方向から見て前下りになるように斜設したガイド部１２１ａ、１２２ａを備えている。また、ガイド部材１２１、１２２には、このガイド部１２１ａ、１２２ａにそれぞれつながっている。そして、カートリッジ２のドラム軸受１４の位置決め部材である円筒部１４ａ、及び、ドラム軸１５の位置決め部材である円筒部１５ａが、丁度嵌入する半円形の装置位置である位置決め溝１２１ｂ、１２２ｂを備えている。この位置決め溝１２１ｂ、１２２ｂは周壁が円筒形をしている。そして、この位置決め溝１２１ｂ、１２２ｂの中心が、カートリッジ２を本体１００に装着したときのカートリッジ２のドラム軸受１４の円筒部１４ａ、ドラム軸１５の円筒部１５ａの中心とそれぞれ一致し、感光体ドラム１１の軸線である中心線とも一致する。
【００５２】
ガイド部材１２１、１２２の幅は、カートリッジ２の着脱方向から見てドラム軸受１４の円筒部１４ａ、ドラム軸１５の円筒部１５ａが遊嵌する幅を有する。そして、カートリッジ２が本体１００へ装着された状態においては、カートリッジ２のドラム軸受１４の円筒部１４ａ、ドラム軸１５の円筒部１５ａがそれぞれ本体１００のガイド部材１２１、１２２の位置決め溝１２１ｂ、１２２ｂに嵌合する。そしてさらに、カートリッジ２のドラム枠体１３の両側の規制当接部１６ａ、１７ａが本体１００の固設部材１０１、１０２の先端に当接するようになっている。
【００５３】
（レーザーシャッターの構成）
図１７に示すように、本体１００へカートリッジ２が装着されていない状態で、光学手段１からレーザー光が漏れないように、レーザー光路を遮断するための露光光遮蔽部材であるシャッター１３０が設けられる。
【００５４】
シャッター１３０は、支軸等（不図示）によって、画像形成装置の本体１００にシャッター支店１３１のまわりに回動可能に設けられている。シャッター１３０を回動させるためのシャッターリンク１３２は、軸受等（不図示）により本体１００に回動可能に設けられている。さらに、このリンク１３２は、図１９に示すように、矢印Ｘで示すカートリッジ２の装着方向（図中手前から奥へ向かう方向）と交差するＹ方向において、カートリッジ２が装着された際に、ドラム枠体１３の規制当接部１６ａが当接する固設部材１０１と、本体１００の右側側壁との間に配置されている。さらに、カートリッジ２の装着方向においては、リンク１３２の当接部１３２ａは固設部材１０１の奥側に配置されている。
【００５５】
次に、シャッター１３０とリンク１３２の動作について説明する。
【００５６】
本体１００にカートリッジ２が装着されていない際には、シャッター１３０はバネ等（不図示）によってシャッター支点１３１を中心にして、図１７において、時計回り方向に付勢されている。そして、シャッター部１３０ａが光学手段１に当接した位置で、レーザー光路を遮光している。そして、本体１００にカートリッジ２が装着される工程で、ドラム枠体１３の溝１６の壁部材であるリブ１８が駆動部材としてリンク１３２の当接部１３２ａと当接する（図４及び図１８参照）。このように、カートリッジ２のドラム枠体１３のリブ１８と当接部１３２ａとが当接すると、リンク１３２は支軸１３２ｂを中心にして、図１７において時計回りに回転する。
【００５７】
このとき、リンク１３２のボス１３２ｃがシャッター１３０の当接部１３０ｂと当接して押される。これによって、シャッター１３０はシャッター支点１３１を中心にして反時計回りに回転し、シャッター部１３０ａをレーザー光路から退避させる。
【００５８】
その結果、カートリッジ２が本体１００の所定位置に装着された際には、レーザー光路はシャッター１３０のシャッター部１３０ａによって遮ぎられることはなく、レーザー光を確実に感光体ドラム１１に照射することができる。
【００５９】
（メモリタグの構成）
図３ないし図６に示すように、カートリッジ２のドラム枠体１３の表面には基体であるメモリタグ６０が取り付けられている。メモリタグ６０は図７及び図８に示すように、記憶素子６１とカートリッジ電気接点部である６２と後述するコネクタ１４０の突き当て部１４１が当接する当接部６３を基板（プリント基板）６４上に配置した札状部材である（図１３参照）。ここで接点部６２は、導電材料からなり、記憶素子６１と電気的に接続されている。
【００６０】
記憶素子６１は中央に配置され、樹脂によるコーティング層６５（保護部）で保護されている。また、接点部６２は記憶素子６１を保護するコーティング層６５と同一面で、かつ記憶素子６１の両側に並設されている。さらに、接点部６２の近傍には、図１３に示すコネクタ１４０の突き当て部１４１が当接する当接部６３が並んで設けられている。
【００６１】
図１３及び図１４に示すように、コネクタ１４０には弾性変形することで接触圧を生じる金属製の電気接点１４２、（本体電気接点）が設けられている。そして、突き当て部１４１がメモリタグ６０の基体当接部である当接部６３と当接することで、電気接点１４２のたわみ量が一定となり、メモリタグ６０の接点部６２に対する接触圧を所望の接点圧とし、導通を安定させることができる。
【００６２】
さらに、メモリタグ６０の当接部６３は接点部６２と同一高さの平面とすることで、メモリタグ６０内での当接部６３と接点部６２との高さ方向の寸法精度を高めている。これによって、コネクタ１４０の電気接点１４２の接点圧のより一層の安定が図れる。
【００６３】
また、メモリタグ６０の記憶素子６１を保護するコーティング層６５（保護部）の両側に接点部６２を設け、当接部６３を両接点部６２の延長線上で、かつ、接点部６２に隣接するように平面的に配置した。
【００６４】
このような当接部６３を設けることによって、図１３、図１４に示すコネクタホルダ１５０の回転軸１５１からのコネクタ１４０の突き当て部１４１までの距離Ｌ１と電気接点１４２までの距離Ｌ２の長さがほぼ等しくできるので、突き当て部１４１の高さの寸法バラツキの影響を受けにくく、電気接点１４２の接触圧を安定させることができる。
【００６５】
また、メモリタグ６０の当接部６３が接点部６２に並設され、コネクタ１４０の突き当て部１４１と電気接点１４２との距離がほぼ等しいため、圧バランスが均等になり、接点部６２の接触圧不足等による導通不良を防止することができる。
【００６６】
次にメモリタグ６０の取付構成について説明する。
【００６７】
図７及び図８に示すように、メモリタグ６０の一側縁には、長手方向で接点部６２の間に凹形状の溝部６０ａが設けられている。そして、カートリッジ２には、メモリタグ６０の長手方向に直交する接点位置決め部であるリブ７１が形成され、メモリタグ６０の凹形状の切り欠き部である溝部６０ａをリブ７１に嵌合させることで長手方向位置決めを行なっている。また、短手方向は、カートリッジ２の位置決め部７２ａ、７２ｂヘメモリタグ６０の突き当て部６０ｂを突き当てて、幅寸法６０ｂ１による位置決めを行なう。
【００６８】
さらに、図９及び図１０に示すように、短手方向は、カートリッジ２の位置決め部７２ヘメモリタグ６０の突き当て部６０ｂを突き当てることで位置決めを行なっても良い。突き当てによる位置決めを行なうことで、カートリッジ２のメモリタグ６０の取付部の成形金型の抜き方向が、メモリタグ６０の接点部６２を含む表面と平行でなくても、短手方向の位置決めが行なえる。
【００６９】
以上の位置決めを行なうことで、カートリッジ２のメモリタグ６０の取付部の成形金型の抜き方向が、メモリタグ６０の接点部６２を含む表面と平行でなくても、長手方向及び短手方向の位置決めが行なえる。そのため、金型構成がメモリタグ６０の長手方向位置決め、及び、短手方向位置決めを左右することなく、複数の製品で使用することができ、マスメリットによるコストダウンが図れる。
【００７０】
また、位置決め形状を穴（丸穴、角穴）で行なうと、メモリタグが大型になる。しかし、上記のように凹形状の切り欠き部にすることで、メモリタグの大型化を抑えることができる。
【００７１】
さらに、位置決め形状を穴（丸穴、角穴）で行なうと、位置決め穴と位置決めボスの嵌合時に、こじりの可能性がある。特に本実施の形状では、０．６ｍｍ程度の薄板の基板を用いているので、こじりの可能性は大きい。しかし、上記のように凹形状にすれば、こじりの可能性もなく、組立性がさらに良くなる。
【００７２】
次に、本体１００側に配設されたコネクタ構成を説明する。
【００７３】
図１３に示すように、コネクタ１４０には弾性変形することで接触圧を生じる金属製の本体電気接点である電気接点１４２を、メモリタグ６０の接点部６２の１個に対して、１つないしは２つ配置してある。また、この電気接点１４２の脇にはメモリタグ６０の当接部６３に当接する突き当て部１４１が長手方向両端付近に設けてある。電気接点１４２のメモリタグ６０との接触部の反対側にはリード線が繁げられて本体１００の制御部（不図示）と接続されている。
【００７４】
コネクタホルダ１５０は、回転軸１５１と、コネクタ取付部１５２と、コネクタ１４０の長手位置決めを行なうための長手位置決めレバー１５３と、当接回転レバー１５４からなる。
【００７５】
コネクタ１４０はコネクタホルダ１５０にスナップフィット、ネジ等によって固定されている（不図示）。また、コネクタホルダ１５０は前述のように、回転軸１５１上で回動し、また、図１２に示すように、回転軸１５１は軸受１５１ａで長手方向（矢印Ｃ方向）にスライド可能に本体１００に保持されている。
【００７６】
次に、カートリッジ２を本体１００に装着する動作に従って、コネクタ１４０とメモリタグ６０との通電接続を説明する。
【００７７】
カートリッジ２の右側の規制当接部１６ａは、本体１００のレーザー光遮蔽部材（露光光遮蔽部材）であるシャッター１３０を開閉するリブ１８を壁部材とする装着案内部である溝１６内に設けられている。また、左側の規制当接部１７ａは、外側が開放された装着案内部である溝１７内に設けられている。図１２に示すように、カートリッジ２を本体１００に矢印Ｘで示す方向に挿入すると、挿入途中で、本体１００側の固設部材１０１を、カートリッジ２の溝１６のカートリッジ装着案内部（壁面）１６ｂ、１６ｃが挟み込み（図５及び図６参照）、カートリッジ２の装着方向と交差する方向のガイドを行なう。さらにカートリッジ２を挿入していくと、長手方向（前記交差する方向）に移動可能に配置された本体電気接点支持部材であるコネクタホルダ１５０の、本体支持部材位置決め部である長手位置決めレバー１５３も、前記溝１６の先端部の１６ｂ、１６ｃ間に入る。そして、コネクタ１４０のカートリッジ２に対する長手方向位置決めが行なわれる。
【００７８】
すなわち、前記装着案内部である溝１６の壁面１６ｂ、１６ｃはカートリッジ２の装着方向と交差する方向のガイドを行なうためのカートリッジ装着案内部である。また壁面１６ｂ、１６ｃは、カートリッジ２に対して電気接点１４２を有するコネクタ１４０の長手方向位置決めを行なうためのカートリッジ支持部材位置決め部でもある。
【００７９】
さらに、溝１６の底部１６ａは、本体回転規制部である固設部材１０１と当接して、カートリッジ２の回転を規制する回転規制当接部である。よって、カートリッジ２の小型化が可能となる。また、本体回転規制部である固設部材１０１は、カートリッジ２の装着方向と交差する方向のガイドを行なう本体カートリッジ装着案内部でもあるので、装置本体の小型化も可能になる。さらに、カートリッジ２が挿入されると、カートリッジ２の挿入方向先端部がコネクタホルダ１５０の当接回転レバー１５４と当接し、コネクタ１４０はコネクタホルダ１５０の回転軸１５１を中心にメモリタグ６０側に回転する（図１１において時計回り）。
【００８０】
そして、カートリッジ２のドラム軸受１４の円筒部１４ａ、ドラム軸１５の円筒部１５ａが本体１００の位置決め溝１２１ｂ、１２２ｂに到達する（図１５及び図１６参照）
カートリッジ２はドラム軸受１４の円筒部１４ａ、ドラム軸１５の円筒部１５ａの中心を結ぶ中心線に対し、クリーニングユニット１０側と現像ユニット２０側では、この中心線を水平に保つと現像ユニット２０側がクリーニングユニット１０側よりも大きな一次モーメントを生ずるような重量配分になっている。そのため、カートリッジ２はドラム軸受１４の円筒部１４ａ、ドラム軸１５の円筒部１５ａを結ぶ線上で時計回りに回動し、固設部材１０１、１０２の先端にカートリッジ２の規制当接部１６ａ、１７ａが当接し、カートリッジ２の挿入動作が完了する。また、それと同時に、コネクタ１４０はメモリタグ６０に当接する。
【００８１】
前述のように、カートリッジ２のメモリタグ６０近傍に溝１６を配置し、本体１００のコネクタ１４０を取り付けたコネクタホルダ１５０を溝１６のカートリッジ支持部材位置決め部である１６ｂ、１６ｃによって位置決めすることにより、メモリタグ６０の接点部６２とコネクタ１４０とは精度良く当接・維持させることができる。これによって、メモリタグ６０の接点ズレを防ぎ、また、コネクタユニットの小型化が図れる。
【００８２】
さらに、前記溝１６は本体１００にカートリッジ２を装着するときの装着方向と交差する方向のカートリッジ装着案内部を兼ねているので、コネクタユニットの長手方向の移動可能幅を小さくすることができ、コネクタユニットの移動可能幅を含む本体１００側のスペースを小さくできる。また、前述の構成によって、レバー１５３を溝１６にスムーズに挿入することができる。
【００８３】
また、本体１００のシャッター１３０を開閉するためのリブ１８を前記溝１６を形成する一端の壁部材とすることで、スペースをより一層有効に活用できる。
【００８４】
さらに、前述のように、前記溝１６はカートリッジ２の装着時の装着方向と交差する方向のカートリッジ装着案内部も兼ねているので、本体１００側のシャッター１３０の開閉機構との位置精度が向上し、本体１００のレーザーシャッター設置部の小型化にも貢献できる。
【００８５】
（第２の実施の形態）
本実施の形態では、前述の第１の実施の形態と異なる項目のみを説明し、他の第１の実施の形態と同様の構成については説明を省略する。
【００８６】
次に、本体１００側に配設されたコネクタ構成を説明する。
【００８７】
図２０及び図２１に示すように、コネクタ１４０には弾性変形することで、接触圧を生じる金属製の本体電気接点である電気接点１４２を、メモリタグ６０の接点部６２の１個に対して、１つないしは２つ配置してある。また、この電気接点１４２の脇にはメモリタグ６０の当接部６３（図７及び図９参照）に当接する突き当て部１４１が長手方向両端付近に設けてある。電気接点１４２のメモリタグ６０との接触部の反対側にはリード線が繋げられて本体１００の制御部（不図示）と接続されている。
【００８８】
コネクタホルダ１５０は回転軸１５１とコネクタ取り付け部１５２と本体支持部材位置決め部である長手位置決めレバー１５３からなる。
【００８９】
コネクタ１４０はコネクタホルダ１５０にスナップフィット、ネジ等によって固定されている（不図示）。また、コネクタホルダ１５０は前述のように、回転軸１５１上で回動し、また、回転軸１５１は軸受１５１ａで長手方向（矢印Ｃ方向カートリッジ２の装着方向と交差する方向）にスライド可能に本体１００に保持されている。そして、バネ１５５によってコネクタホルダ１５０は矢印Ｙ方向に付勢されている。
【００９０】
次に、カートリッジ２を本体１００に装着する動作に従って、コネクタ１４０とメモリタグ６０との接続を説明する。
【００９１】
また、第１の実施の形態と同様にカートリッジ２の右側の規制当接部１６ａ（不図示）は、本体１００のレーザー光遮蔽部材（露光光遮蔽部材）であるシャッター１３０を開閉するリブ１８を壁部材とする装着案内部である溝１６内に設けられている。また、左側の規制当接部１７ａは、外側が開放された装着案内部である溝１７内に設けられている（不図示）。図２１、図２５及び図２６に示すように、カートリッジ２を本体１００に矢印Ｘで示す方向に挿入すると、挿入途中で、本体１００側の固設部材１０１を、溝１６のカートリッジ装着案内部１６ｂ、１６ｃ（不図示）が挟み込み、カートリッジ２の装着方向と交差する方向のガイドを行なう。さらにカートリッジ２を挿入していくと、長手方向に移動可能に配置されたコネクタホルダ１５０の本体支持部位置決め部である長手位置決めレバー１５３も前記溝１６の先端部の１６ｂ、１６ｃ間に入り、コネクタ１４０のカートリッジ２に対する長手方向位置決めが行なわれる。
【００９２】
すなわち、前記装着案内部である溝１６の壁面１６ｂ、１６ｃは、カートリッジ２の装着方向と交差する方向のガイドを行なうためのカートリッジ装着案内部である。また壁面１６ｂ、１６ｃは、カートリッジ２に対して電気接点１４２を有するコネクタ１４０の長手方向位置決めを行なうための、カートリッジ支持部材位置決め部でもある。さらに、溝１６の底部１６ａは、本体回転規制部である固設部材１０１と当接して、カートリッジ２の回転を規制する回転規制当接部である。よって、カートリッジ２の小型化が可能となる。また、本体回転規制部である固設部材１０１は、カートリッジ２の装着方向と交差する方向のガイドを行なう本体カートリッジ装着案内部でもあるので装置本体の小型化も可能になる。
【００９３】
また、図２１に示すように、カートリッジ２のドラム枠体１３には、メモリタグ６０取り付け部の長手両側端部付近にカートリッジ当接部であるコネクタホルダガイド１９が設けられている。そして、コネクタホルダ１５０は、前述の通り、バネ１５５によって矢印Ｙ方向に付勢されている。そこで、図２２に示すように、カートリッジ２が、さらに、挿入されると、コネクタホルダガイド１９にコネクタホルダ１５０に設けられた本体当接部であるガイドリブ１５６が当接・摺動する。このとき、コネクタ１４０の電気接点１４２及び当接部６３は、メモリタグ６０、及び、メモリタグ６０を保持している枠体であるドラム枠体１３との接触はない。
【００９４】
コネクタホルダガイド１９は、前述の構成が得られるような高さｈ１に設定されている。また、図３７、図３８に示すように、カートリッジ装着方向と交差する方向において、メモリタグ６０と並んで設けられたコネクタホルダガイド１９のカートリッジ装着方向上流側には、傾斜面１９ａが設けられている。そして、傾斜面１９ａのカートリッジ装着方向上流側の端部１９ｂが、図３７に示すように、カートリッジ装着方向における接点部６２の長さＬ３の間に位置する構成になっている。前術の構成によって、ガイドリブ１５６が傾斜面１９ａに沿って下降する。そして、本体１００の所定の装着位置に装着される直前に、電気接点１４２がメモリタグ６０の接点部６２に当接するようにコネクタホルダ１５０がガイドされる。前述の構成により電気接点１４２と接点部６２とが接触するときに電気接点１４２に衝撃が加わることなく、スムーズに接触することができる。そして、図２３及び図２４に示すように、突き当て部１４１がメモリタグ６０の当接部６３と当接して、ガイドリブ１５６は枠体表面である凹部１３ａと対応する位置にきて、枠体１３とは離間する（図２４は、コネクタ１４０がメモリタグ４０と当接した状態（図２３）時の、コネクタホルダガイド１９とガイドリブ１５６の位置関係を示す断面図である）。
【００９５】
また、メモリタグ６０は、カートリッジ枠体１３の上面側から突出した設置部１３ｂに設けられる。そして、前記設置部１３ｂの高さは、プロセスカートリッジが前記装置位置に装着された際に、図２４にも示すようにガイドリブ１５６とカートリッジ枠体の表面１３ａとの間に隙間が生じる高さに設定されている。
【００９６】
そして、カートリッジ２の位置決め部材であるドラム軸受１４の円筒部１４ａ、及び、ドラム軸１５の円筒部１５ａが本体１００の位置決め溝１２１ｂ、１２２ｂに到達する（図２５及び図２６参照）。
【００９７】
カートリッジ２はドラム軸受１４の円筒部１４ａ、ドラム軸１５の円筒部１５ａの中心を結ぶ中心線回りのクリーニングユニット１０側と現像ユニット２０側の一次モーメントの関係は、現像ユニット２０側がクリーニングユニット１０側よりも大きな一次モーメントを生ずるような重量配分になっている。そのため、カートリッジ２はドラム軸受１４の円筒部１４ａ、ドラム軸１５の円筒部１５ａを結ぶ線上で時計回りに回動し、固設部材１０１、１０２の先端にカートリッジ２の規制当接部１６ａ、１７ａが当接し、カートリッジ２の挿入動作が完了する。
【００９８】
上述の構成によって、本体１００に装着中のカートリッジ２の姿勢のばらつきによって、本体１００のコネクタ１４０の電気接点１４２が、メモリタグ６０以外（例えば、メモリタグ６０のカートリッジ２挿入方向先端側に設けられたリブ１３ｂ等）に接触することを防止して、電気接点１４２と安定して確実に接触して、信頼性のある導通が確保できる。
【００９９】
また、電気接点１４２のたわみ量が一定となり、メモリタグ６０の接点部６２に対する接触圧を所望の接点圧とし、導通を安定させることができる。
【０１００】
また、第１の実施の形態と同様に、前述のように、カートリッジ２のメモリタグ６０近傍に溝１６を配置し、本体１００のコネクタ１４０を取り付けたコネクタホルダ１５０を溝１６のカートリッジ支持部材位置決め部である１６ｂ、１６ｃによって位置決めすることにより、メモリタグ６０の接点部６２とコネクタ１４０とは精度良く当接・維持させることができる。これによって、メモリタグ６０の接点ズレを防ぎ、また、コネクタユニットの小型化が図れる。
【０１０１】
さらに、前記溝１６は本体１００にカートリッジ２を装着するときの装着方向と交差する方向のカートリッジ装着案内部を兼ねているので、コネクタユニットの長手方向の移動可能幅を小さくすることができ、コネクタユニットの移動可能幅を含む本体１００側のスペースを小さくできる。また、前述の構成によって、レバー１５３を溝１６にスムーズに挿入することができる。
【０１０２】
また、本体１００のシャッター１３０を開閉するためのリブ１８を前記溝１６を形成する一端の側壁とすることで、スペースをより一層有効に活用できる。さらに、前述のように、前記溝１６はカートリッジ２の装着時の装着方向と交差する方向のカートリッジ装着案内部も兼ねているので、本体１００側のシャッター１３０の開閉機構との位置精度が向上し、本体１００のレーザーシャッター設置部の小型化にも貢献できる。
【０１０３】
（第３の実施の形態）
本実施例では、前述の第１、２の実施例と異なる項目のみを説明し、他の第１、２の実施例と同様の構成については説明を省略する。
【０１０４】
次に、本体１００側に配設されたコネクタ構成を説明する。
【０１０５】
図２７に示すように、コネクタ１４０には弾性変形することで接触圧を生じる金属製の電気接点１４２をメモリタグ６０の接点部６２の１個に対して、１つないしは２つ配置してある。また、この電気接点１４２の脇にはメモリタグ６０の当接部６３（図７及び図９参照）に当接する突き当て部１４１が長手方向両端付近に設けてある。電気接点１４２のメモリタグ６０との接触部の反対側にはリード線が繋げられて本体１００の制御部（不図示）と接続されている。
【０１０６】
コネクタホルダ１５０は、回転軸１５１と、コネクタ取付部１５２と、本体支持部材位置決め部である長手位置決めレバー１５３とからなる。
【０１０７】
コネクタ１４０はコネクタホルダ１５０にスナップフィット、ネジ等によって固定されている（不図示）。また、図２７に示すように、コネクタホルダ１５０は前述のように、回転軸１５１上で回動し、また、回転軸１５１は軸受１５１ａで長手方向（矢印Ｃ方向、カートリッジの装着方向と交差する方向）にスライド可能に本体１００に保持されている。そして、バネ１５５によってコネクタホルダ１５０は矢印Ｙ方向に付勢されている。
【０１０８】
次に、カートリッジ２を本体１００に装着する動作に従って、コネクタ１４０とメモリタグ６０との接続を説明する。
【０１０９】
また、実施例１、２と同様にカートリッジ２の右側の規制当接部１６ａは、本体１００のレーザー光遮蔽部材（露光光遮蔽部材）であるシャッター１３０を開閉するリブ１８を壁部材とする装着案内部である溝１６内に設けられている（不図示）。また、左側の規制当接部１７ａは、外側が開放された装着案内部である溝１７ａ内に設けられている（不図示）。図２８及び図３２及び図３３に示すように、カートリッジ２を本体１００に矢印Ｘで示す方向に挿入すると、挿入途中で、本体１００側の固設部材１０１を、図５、６に示す溝１６のカートリッジ装着案内部である１６ｂ、１６ｃが挟み込み、カートリッジ２の装着方向と交差する方向のガイドを行なう。さらにカートリッジ２を挿入していくと、長手方向に移動可能に配置されたコネクタホルダ１５０の本体支持部材位置決め部である長手位置決めレバー１５３も前記溝１６の先端部の１６ｂ、１６ｃに入り、コネクタ１４０のカートリッジ２に対する長手方向位置決めが行なわれる。
【０１１０】
すなわち、前記装着案内部である溝１６の壁面１６ｂ、１６ｃは、カートリッジの装着方向と交差する方向のガイドを行なうためのカートリッジ装着案内部である。また、壁面１６ｂ、１６ｃは、カートリッジ２に対して電気接点１４２を有するコネクタ１４０の長手方向位置決めを行なうための、カートリッジ支持部材位置決め部でもある。さらに、溝１６の底部１６ａは、本体回転規制部である固設部材１０１と当接して、カートリッジ２の回転を規制する回転規制当接部である。よって、カートリッジ２の小型化が可能となる。また、本体回転規制部である固設部材１０１は、カートリッジ２の装着方向と交差する方向のガイドを行なう本体カートリッジ装着案内部でもあるので、装置本体の小型化も可能になる。
【０１１１】
また、図２８に示すように、カートリッジ２には、メモリタグ６０取り付け部の長手両側端部付近に、カートリッジ２の本体１００への挿入方向に平行なリブ状のコネクタホルダガイド１９が複数本設けられている。そして、コネクタホルダ１５０は、前述の通り、バネ１５５によって矢印Ｙ方向に付勢されている。そこで、図２９に示すように、カートリッジ２が、更に挿入されると、コネクタホルダガイド１９の１９ｃ部分に、コネクタホルダ１５０に設けられた本体当接部であるガイドリブ１５６が当接したのち摺動する（場合によっては、ガイドリブ１５が最初にコネクタホルダガイド１９の１９ｄ部分に当接したのち、１９ｃ部分へ摺動する）。このとき、コネクタ１４０の電気接点１４２、及び、当接部６３（図７参照）は、メモリタグ６０、及び、メモリタグ６０を保持している枠体１３に接触しない。コネクタホルダガイド１９は、前述の構成が得られるような高さｈ１に設定されている。また、図３７、図３８に示すように、カートリッジ装着方向と交差する方向において、メモリタグ６０と並んで設けられたコネクタホルダガイド１９のカートリッジ装着方向上流側には、傾斜面１９ａが設けられている。そして、傾斜面１９ａのカートリッジ装着方向上流側の端部１９ｂが、図３７に示すように、カートリッジ装着方向における接点部６２の長さＬ３の間に位置する構成になっている。前述の構成によって、ガイドリブ１５６が傾斜面１９ａに沿って下降する。そして、本体１００の所定の装着位置に装着される直前に、電気接点１４２がメモリタグ６０の接点部６２に当接するようにコネクタホルダ１５０がガイドされる。前述の構成によって、電気接点１４２と接点部６２とが、接触する時に電気接点１４２に衝撃が加わることなく、スムーズに接触することができる。そして、図３０及び図３１に示すように、突き当て部１４１がメモリタグ６０の当接部６３（図７参照）と当接して、ガイドリブ１５６は枠体の表面である１３ａと対応する位置にきて、枠体１３とは離間する。（図３１は、コネクタ１４０がメモリタグ４０と当接した状態（図３０）の、コネクタホルダガイド１９とガイドリブ１５６の位置関係を示す断面図である。）また、メモリタグ６０は、カートリッジ枠体１３の上面側から突出した設置部１３ｂに設けられる。そして、前記設置部１３ｂの高さは、プロセスカートリッジが前記装置位置に装着された際に、図２４にも示すようにガイドリブ１５６と凹部１３ａとの間に隙間が生じる高さに設定されている。
【０１１２】
また、図２７、２９、３０、３１に示すように、カートリッジ２の装着方向前方下部に押圧部材１６０が配置されている。
【０１１３】
この押圧部材１６０は、本体１００フレーム部材（不図示）に支点１６１で回動可能に支持されており、引張りバネ１６２で、矢印Ｚ方向に付勢されている。なお、押圧部材１６０はカートリッジの下面に設けられた被押圧部１３ａに当接するまでは、ストッパー１６３に当接した位置にある。
【０１１４】
また、図３４に示す通り、本実施形のカートリッジの被押圧部１３ａの長手配置は、メモリタグ６０とカートリッジの規制当接部１６ａの間で、通紙領域の外側である。
【０１１５】
この押圧部材１６０によって、上述のカートリッジ２が、本体１００の所定の位置に装着される動作と、ほぼ同時に、押圧部材１６０がカートリッジ２の被押圧部１３ａに当接する。
【０１１６】
そして、カートリッジ２のドラム軸受１４の円筒部１４ａ（図６参照）、ドラム軸１５の円筒部１５ａ（図５参照）が本体１００の位置決め溝１２１ｂ、１２２ｂに到達する（図３２及び図３３参照）。
【０１１７】
また、ドラム軸受１４の円筒部１４ａと、ドラム軸１５の円筒部１５ａの中心を結ぶ中心線（以下、ドラム軸線と呼ぶ）まわりにおいて、クリーニングユニット１０側と現像ユニット２０側の一次モーメントの関係は、現像ユニット２０側が下方向に回転するモーメントが、クリーニングユニット１０側が下方向に回転するモーメントの方よりも、大きなモーメントを生ずるような重量配分になっている。
【０１１８】
また、ドラム軸線まわりには、メモリタグ６０においてコネクタの矢印Ｙ方向の力によるモーメントが発生する。しかし、押圧部材１６０によって、カートリッジ２の被押圧部１３ａが矢印Ｚ方向に押される為、前記コネクタ１４０によるモーメントと反対方向のモーメントが発生する。なお、後述のカートリッジ２の規制当接部１６ａ、１７ａが固設部材１０１、１０２の先端に確実に当接するためには、カートリッジ２のドラム軸線まわりのモーメントの関係は、コネクタ１４０によるモーメント≦押圧部材１６０によるモーメントであることが望ましい。
【０１１９】
そして、図３５に示すように、カートリッジ２はドラム軸線上（図３５では感光体ドラム１１中心）で時計回りに回動し、図３６に示す固設部材１０１、１０２の先端にカートリッジ２の規制当接部１６ａ、１７ａ（不図示）が当接し、カートリッジ２の挿入動作が完了する。
【０１２０】
また、感光体ドラム１１が本体１００の駆動手段（不図示）から回転駆動を受けた際に、感光体ドラム１１は時計回りに回動するため、カートリッジ２も時計回りに回転することになる。よって、本体１００から回転駆動を受けた際も、常に、規制当接部１６ａ、１７ａが本体１００の固設部材１０１、１０２の先端にカートリッジ２の規制当接部１６ａ、１７ａ（不図示）が当接した状態になっている。
【０１２１】
なお、上記構成において、カートリッジの被押圧部１３ａを下面側（通紙面側）に配置しているが、カートリッジの被押圧部１３ａ及び本体押圧部１６０の断面配置は、カートリッジ２のドラム軸線に対し、矢印Ｙ方向の力に抗するモーメントが得られる位置であれば良い。
【０１２２】
また、長手方向の配置においても、望ましくはコネクタ１４０と同位置であるが、その近傍であれば、同様の効果が得られる。
【０１２３】
上述の構成によって、カートリッジ２の規制当接部１６ａ、１７ａが固設部材１０１、１０２の先端に確実に当接する為、カートリッジ２の本体との位置決めが正確に行なえる。
【０１２４】
また、カートリッジ２とコネクタ１４０の位置決めも正確に行なえるため、電気接点１４２のたわみ量が一定となり、メモリタグ６０の接点部６２に対する接触圧を所望の接点圧とし、導通を安定させることができる。
【０１２５】
また、上述のように、カートリッジ２はドラム軸線まわりのクリーニングユニット１０側と現像ユニット２０側の一次モーメントの関係は、現像ユニット２０側がクリーニングユニット１０側よりも大きなモーメントを生ずるような重量配分になっている。しかし、カートリッジの現像ユニット２０内のトナーが大量に消費され、かつ、クリーニングユニット１０内に廃トナーが溜ってきた場合に、現像ユニット２０側が下方向（時計回り方向）に回転するモーメントが小さくなり、クリーニングユニット１０側が下方向（反時計回り方向）に回転するモーメントが大きくなる。
【０１２６】
さらに、本体１００からカートリッジ２に駆動伝達（回転駆動）を受けていない場合は、本体１００の固設部材１０１、１０２の先端にカートリッジ２の規制当接部１６ａ、１７ａ（不図示）が当接する方向の力も働かない。
【０１２７】
従って、押圧部材１６０でカートリッジ２の被押圧部１３ａを押圧することで、本体１００の固設部材１０１、１０２の先端にカートリッジ２の規制当接部１６ａ、１７ａを当接させて、カートリッジ２の円筒部１４ａ、１５ａを中心に時計回りの回転方向の位置決めをすることができる。よって、カートリッジ２の現像ユニット２０内のトナーが大量に消費された場合、また、本体１００からカートリッジ２に駆動伝達（回転駆動）を受けていない場合に、コネクタ１４０による矢印Ｙ方向のモーメントによる、規制当接部１６ａ、１７ａが固設部材１０１、１０２の先端の離間、あるいは、メモリタグ６０の接点部６２に対するコネクタ１４０の接点圧不足の発生を防止することができる。
【０１２８】
すなわち、カートリッジ２のトナーの消費量に関係なく、さらに、カートリッジ２が本体１００から駆動伝達されていない場合でも、電気接点４２と接点部６２との電気的接続の信頼性を向上させることができる。
【０１２９】
これは、特に、カートリッジ２のトナー重量の変化量が大きい、大容量カートリッジ、さらに、メモリタグ６０と本体１００の制御部（不図示）との通信の迅速化に有効である。
【０１３０】
【発明の効果】
よって、以上説明したように、本発明は以下に記載するような効果を奏する。
【０１３１】
プロセスカートリッジのカートリッジ電気接点と、電子写真画像形成装置本体に設けられた本体電気接点との電気的接続が簡単な構成で可能になる。
【０１３２】
また、プロセスカートリッジを電子写真画像形成装置本体に装着した際に、電子写真画像形成装置本体に設けられた本体電気接点と、カートリッジ電気接点部とを安定して確実に接触させることができる。
【０１３３】
また、プロセスカートリッジを電子写真画像形成装置本体に装着した際に、前記装置本体に設けられた本体電気接点が、プロセスカートリッジの枠体、及び、前記カートリッジ電気接点以外の基体に当接することなく、前記カートリッジ電気接点と接触することができる。
【０１３４】
また、プロセスカートリッジ、及び、電子写真画像形成装置本体の小型化、省スペースを実現することが可能になる。
【０１３５】
また、プロセスカートリッジを電子写真画像形成装置本体に装着した際に、電子写真画像形成装置本体に設けられた本体電気接点と、基体のカートリッジ電気接点部とを安定して確実に接触させることができる。
【０１３６】
また、プロセスカートリッジを電子写真画像形成装置本体に装着した際に、電子写真画像形成装置本体に設けられた本体電気接点と、プロセスカートリッジに設けられたカートリッジ電気接点部との接触の位置精度を向上させることができる。
【０１３７】
さらに、プロセスカートリッジを電子写真画像形成装置本体に装着する際に、前記装置本体に設けられた本体電気接点と、カートリッジ電気接点部とが、衝撃なくスムーズに接触することができる。
【図面の簡単な説明】
【図１】第１の実施の形態による電子写真画像形成装置を示す縦断面図である。
【図２】図１のプロセスカートリッジを示す断面図である。
【図３】図２のプロセスカートリッジを分解して示す分解斜視図である。
【図４】図２のプロセスカートリッジを分解して別方向からみた分解斜視図である。
【図５】図２のプロセスカートリッジを左側からみた斜視図である。
【図６】図２のプロセスカートリッジを右側からみた斜視図である。
【図７】メモリタグを示す斜視図である。
【図８】メモリタグをプロセスカートリッジに取り付けた状態を示す斜視図である。
【図９】メモリタグを示す斜視図である。
【図１０】メモリタグをプロセスカートリッジに取り付けた状態を示す斜視図である。
【図１１】メモリタグとコネクタの配置を示す側面図である。
【図１２】メモリタグとコネクタの配置を示す拡大斜視図である。
【図１３】コネクタを示す斜視図である。
【図１４】コネクタを示す側面図である。
【図１５】画像形成装置本体の右側の装着ガイド手段を示す斜視図である。
【図１６】画像形成装置本体の左側の装着ガイド手段を示す斜視図である。
【図１７】レーザーシャッターを説明する図である。
【図１８】レーザーシャッターの駆動部を説明する図である。
【図１９】レーザーシャッターの配置を説明する図である。
【図２０】第２の実施の形態によるコネクタを示す斜視図である。
【図２１】第２の実施の形態によるメモリタグとコネクタの配置を示す拡大斜視図である。
【図２２】コネクタホルダガイドとガイドリブが当接した状態を示す縦断面図である。
【図２３】コネクタとメモリタグが当接した状態を示す縦断面図である。
【図２４】図２３のときの、コネクタホルダガイドとガイドリブを示す縦断面図である。
【図２５】画像形成装置本体の右側の装着ガイド手段を示す斜視図である。
【図２６】画像形成装置本体の左側の装着ガイド手段を示す斜視図である。
【図２７】コネクタを示す斜視図である。
【図２８】メモリタグとコネクタの配置を示す拡大斜視図である。
【図２９】コネクタホルダガイドとガイドリブが当接した状態示す縦断面図である。
【図３０】コネクタとメモリタグが当接した状態を示す縦断面図である。
【図３１】図２３の時の、コネクタホルダガイドとガイドリブを示す縦断面図である。
【図３２】画像形成装置本体の右側の装着ガイド手段を示す斜視図である。
【図３３】画像形成装置本体の左側の装着ガイド手段を示す斜視図である。
【図３４】プロセスカートリッジを底面からみた斜視図である。
【図３５】プロセスカートリッジの縦断面図である。
【図３６】プロセスカートリッジが画像形成装置へ装着完了した斜視図である。
【図３７】プロセスカートリッジのコネクタホルダガイドとメモリタグとの位置関係を示す上面図である。
【図３８】プロセスカートリッジのコネクタホルダガイドとメモリタグとの位置関係を示す縦断面図である。
【符号の説明】
１　光学手段
２　プロセスカートリッジ（カートリッジ）
３　給送システム
１０　クリーニングユニット
１１　感光体ドラム
１２　クリーニング手段
１３　ドラム枠体
１３ａ　凹部
１４　ドラム軸受
１４ａ、１５ａ　円筒部
１５　ドラム軸
１６、１７　溝
１６ａ、１７ａ　規制当接部
１８、１３ｂ、７１　リブ
１９　コネクタホルダガイド
２０　現像ユニット
２１　現像ローラ
２４　トナー収容容器
３０、４０　サイドカバー
６０　メモリタグ
６０ｂ１　位置決め部
６１　記憶素子
６２　接点部
６３　当接部
６４　基板
７２、７２ａ、７２ｂ　位置決め部
１００　本体
１０１、１０２　固設部材
１２１、１２２　ガイド部材
１３０　シャッター
１３２　リンク
１４０　コネクタ
１４１　電気接点
１４２　突き当て部
１５０　コネクタホルダ
１５１　回転軸
１５３　長手位置決めレバー
１５４　当接回転レバー
１５５　バネ
１５６　ガイドリブ
【図１】
2004045857.tif 000003
【図２】
2004045857.tif 000004
【図３】
2004045857.tif 000005
【図４】
2004045857.tif 000006
【図５】
2004045857.tif 000007
【図６】
2004045857.tif 000008
【図７】
2004045857.tif 000009
【図８】
2004045857.tif 000010
【図９】
2004045857.tif 000011
【図１０】
2004045857.tif 000012
【図１１】
2004045857.tif 000013
【図１２】
2004045857.tif 000014
【図１３】
2004045857.tif 000015
【図１４】
2004045857.tif 000016
【図１５】
2004045857.tif 000017
【図１６】
2004045857.tif 000018
【図１７】
2004045857.tif 000019
【図１８】
2004045857.tif 000020
【図１９】
2004045857.tif 000021
【図２０】
2004045857.tif 000022
【図２１】
2004045857.tif 000023
【図２２】
2004045857.tif 000024
【図２３】
2004045857.tif 000025
【図２４】
2004045857.tif 000026
【図２５】
2004045857.tif 000027
【図２６】
2004045857.tif 000028
【図２７】
2004045857.tif 000029
【図２８】
2004045857.tif 000030
【図２９】
2004045857.tif 000031
【図３０】
2004045857.tif 000032
【図３１】
2004045857.tif 000033
【図３２】
2004045857.tif 000034
【図３３】
2004045857.tif 000035
【図３４】
2004045857.tif 000036
【図３５】
2004045857.tif 000037
【図３６】
2004045857.tif 000038
【図３７】
2004045857.tif 000039
【図３８】
2004045857.tif 000040